(57)【要約】【課題】液晶素子を搭載する対物レンズ駆動装置において、液晶素子の位置調整が容易に行え、位置調整後にも液晶素子が確実に固定配置される対物レンズ駆動装置を提供する。【解決手段】対物レンズ駆動装置１１が備えるレンズホルダ１８は、対物レンズ９を保持する第１保持部１９と、第１保持部１９とは別パーツであって組立て時に第１保持部１９と一体化される第２保持部２０と、を有する。第２保持部２０は、波面収差の補正を行う液晶素子８と、ワイヤ１７ａ〜１７ｅと電気的に接続され、液晶素子８の駆動を制御する液晶用ＦＰＣ２４と、光軸を取り囲むように巻回されるフォーカスコイル２２と、を備える。また、ワイヤ１６ａ〜１６ｅ、１７ａ〜１７ｅの一方の端部は、第１プリント回路基板１５に固定され、他方も端部は第２保持部２０に取り付けられる。【選択図】図４
2008171485.tif 000002
【特許請求の範囲】
【請求項１】
光源と、
該光源から出射された光を光記録媒体の記録面に集光する対物レンズと、
前記対物レンズを保持するレンズホルダと、一方の端部を固定部に、他方の端部を前記レンズホルダに取り付けられて、前記レンズホルダを変位可能に支持する棒状弾性支持部材と、前記レンズホルダに固着されて導電性部材で形成される前記棒状弾性支持部材を介して給電可能とされるコイルと、前記コイルとの組合せで電磁気的な作用により前記レンズホルダを所定の方向に変位する磁石と、を有する対物レンズ駆動装置と、
を備える光ピックアップ装置において、
前記コイルには、光軸を取り囲むように巻回されて前記レンズホルダを前記光軸方向に変位可能とするフォーカスコイルが含まれ、
前記レンズホルダは、前記対物レンズを保持する第１保持部と、前記第１保持部とは別パーツであって組立て時に前記第１保持部と一体化される第２保持部と、を有し、
前記第２保持部は、波面収差の補正を行う液晶素子と、前記棒状弾性支持部材を介して給電可能に設けられて前記液晶素子の駆動を制御する液晶駆動回路と、前記フォーカスコイルと、を保持し、
前記棒状弾性支持部材の前記他方の端部は、前記第２保持部に取り付けられることを特徴とする光ピックアップ装置。
【請求項２】
対物レンズと、
前記対物レンズを保持するレンズホルダと、
一方の端部を固定部に、他方の端部を前記レンズホルダに取り付けられて、前記レンズホルダを変位可能に支持する棒状弾性支持部材と、
前記レンズホルダに固着されて導電性部材で形成される前記棒状弾性支持部材を介して給電可能とされるコイルと、
前記コイルとの組合せで電磁気的な作用により前記レンズホルダを所定の方向に変位する磁石と、
を備える対物レンズ駆動装置において、
前記レンズホルダは、前記対物レンズを保持する第１保持部と、前記第１保持部とは別パーツであって組立て時に前記第１保持部と一体化される第２保持部と、を有し、
前記第２保持部は、波面収差の補正を行う液晶素子と、前記棒状弾性支持部材を介して給電可能に設けられて前記液晶素子の駆動を制御する液晶駆動回路と、を保持することを特徴とする対物レンズ駆動装置。
【請求項３】
前記棒状弾性支持部材の前記他方の端部は、前記第２保持部に取り付けられることを特徴とする請求項２に記載の対物レンズ駆動装置。
【請求項４】
前記コイルには、光軸を取り囲むように巻回されて前記レンズホルダを前記光軸方向に変位可能とするフォーカスコイルが含まれ、
前記フォーカスコイルは、前記２保持部に固着されることを特徴とする請求項３に記載の対物レンズ駆動装置。
【請求項５】
請求項２から４のいずれかに記載の対物レンズ駆動装置を備えることを特徴とする光ピックアップ装置。
【発明の詳細な説明】
【技術分野】
【０００１】
本発明は、光記録媒体に光を照射して情報の読み取りや書き込みを行う光ピックアップ装置、及び光ピックアップ装置に搭載される対物レンズ駆動装置に関する。
【背景技術】
【０００２】
近年、コンパクトディスク（以下、ＣＤという。）やデジタル多用途ディスク（以下、ＤＶＤという。）といった光記録媒体が普及し、一般的に用いられている。そして、光記録媒体の情報量を増やすために、光記録媒体の大容量化に関する開発が進められ、例えば、ブルーレイディスク（以下、ＢＤという。）のような大容量の情報を記録できる光記録媒体が実用化されてきている。
【０００３】
このような光記録媒体から情報を読み取ったり、光記録媒体に情報を書き込んだりする場合、光ピックアップ装置が用いられる。上述のように、近年では光記録媒体の大容量化が進められているが、光記録媒体が大容量になるにつれて、光ピックアップ装置を用いて光記録媒体の情報の読み取り等を行う際に発生する波面収差（球面収差、コマ収差、非点収差等）の影響が無視できないものとなっている。
【０００４】
特に、球面収差は、ＢＤのように記録層を保護する透明カバー層の厚みが薄い光記録媒体（例えばＢＤでは０．１ｍｍ）において、光記録媒体の製造誤差等によってその発生が問題となる。更に近年では、例えばＢＤ／ＤＶＤ／ＣＤの３種類の光記録媒体を互換する光ピックアップ装置が開発されており、このような光ピックアップ装置では透明カバー層の厚みが異なる複数種類の光記録媒体に対応する必要があるために、球面収差の発生が問題となる。また、コマ収差については、光記録媒体に例えば反りが生じているような場合に、光軸と光記録媒体に対して直交する状態から傾くことによって発生し、ＮＡの大きなＢＤのような光記録媒体で特にその発生が問題となる。
【０００５】
このような、波面収差の補正を行うために、光ピックアップ装置の光学系に液晶素子を配置する技術が、例えば特許文献１〜５に提案されている。そして、光ピックアップ装置の光学系に波面収差補正の目的で光学系中に液晶素子を配置する場合、例えば特許文献２〜５に示されるように、液晶素子は対物レンズ駆動装置のレンズホルダに対物レンズとともに保持される構成とされる場合がある。これは、液晶素子を対物レンズとともに移動する構成とすれば、例えばサーボ制御のために対物レンズがトラッキング方向に移動した場合にも、液晶素子の光軸と対物レンズの光軸とがずれないために不要な収差が発生することがなく、適切な収差補正を行い易いからである。
【０００６】
そして、液晶素子を対物レンズ駆動装置に搭載する場合、液晶素子から引き出される配線の数が多くなること等が考えられるために、特許文献２に示されるように、液晶素子を駆動するための液晶駆動回路をレンズホルダに配置する構成とするのが、都合がよい。なお、特許文献２においては、液晶駆動回路を、ドライバＩＣとドライバＩＣに制御信号等を入力可能なＦＰＣ（Flexible Printed Circuit）とから成る構成としている。
【特許文献１】特開２００５−３１０３２７号公報
【特許文献２】特開２００５−３５３２０８号公報
【特許文献３】特開２００５−４８２６号公報
【特許文献４】特開２００４−２６５５９２号公報
【特許文献５】特開２００３−３０３４３０号公報
【発明の開示】
【発明が解決しようとする課題】
【０００７】
しかしながら、特許文献２に示される対物レンズ駆動装置の場合、以下に示す欠点がある。特許文献２に示されるように対物レンズを保持するレンズホルダに液晶素子を装着する構成の場合、対物レンズの光軸と液晶素子の光軸とがずれないように、液晶素子の位置決めを行ってから液晶素子をレンズホルダに接着する必要がある。なお、この点の詳細については、特許文献２には記載されていない。
【０００８】
そして、液晶素子の位置決めを行う場合に、液晶素子の制御を行うためのＩＣを有するＦＰＣがレンズホルダに既に固定されていると、液晶素子の移動時にＦＰＣによって液晶素子の動きが束縛されて、位置調整が困難になるといった問題がある。一方、ＦＰＣのレンズホルダへの固定を液晶素子の位置決め後に行う構成とする場合には、位置決め作業については行いやすくなるが、液晶素子の配置によってはＦＰＣ接着後にＦＰＣから受ける力が大きくなり、液晶素子が剥がれてしまうといった問題がある。
【０００９】
以上の点を鑑みて、本発明の目的は、液晶素子を搭載する対物レンズ駆動装置において、液晶素子の位置調整が容易に行え、位置調整後にも液晶素子が確実に固定配置される対物レンズ駆動装置を提供することである。また、本発明の他の目的は、液晶素子を搭載する対物レンズ駆動装置において、上記目的を達成しつつ、対物レンズのチルトを低減できる対物レンズ駆動装置を提供することである。更に、本発明の他の目的は、上記目的を達成した対物レンズ駆動装置を備えることにより、情報の記録や読み取りの品質について高い信頼性を有する光ピックアップ装置を提供することである。
【課題を解決するための手段】
【００１０】
上記目的を達成するために本発明は、光源と、該光源から出射された光を光記録媒体の記録面に集光する対物レンズと、前記対物レンズを保持するレンズホルダと、一方の端部を固定部に、他方の端部を前記レンズホルダに取り付けられて、前記レンズホルダを変位可能に支持する棒状弾性支持部材と、前記レンズホルダに固着されて導電性部材で形成される前記棒状弾性支持部材を介して給電可能とされるコイルと、前記コイルとの組合せで電磁気的な作用により前記レンズホルダを所定の方向に変位する磁石と、を有する対物レンズ駆動装置と、を備える光ピックアップ装置において、前記コイルには、光軸を取り囲むように巻回されて前記レンズホルダを前記光軸方向に変位可能とするフォーカスコイルが含まれ、前記レンズホルダは、前記対物レンズを保持する第１保持部と、前記第１保持部とは別パーツであって組立て時に前記第１保持部と一体化される第２保持部と、を有し、  前記第２保持部は、波面収差の補正を行う液晶素子と、前記棒状弾性支持部材を介して給電可能に設けられて前記液晶素子の駆動を制御する液晶駆動回路と、前記フォーカスコイルと、を保持し、前記棒状弾性支持部材の前記他方の端部は、前記第２保持部に取り付けられることを特徴としている。
【００１１】
上記目的を達成するために本発明は、対物レンズと、前記対物レンズを保持するレンズホルダと、一方の端部を固定部に、他方の端部を前記レンズホルダに取り付けられて、前記レンズホルダを変位可能に支持する棒状弾性支持部材と、前記レンズホルダに固着されて導電性部材で形成される前記棒状弾性支持部材を介して給電可能とされるコイルと、前記コイルとの組合せで電磁気的な作用により前記レンズホルダを所定の方向に変位する磁石と、を備える対物レンズ駆動装置において、前記レンズホルダは、前記対物レンズを保持する第１保持部と、前記第１保持部とは別パーツであって組立て時に前記第１保持部と一体化される第２保持部と、を有し、前記第２保持部は、波面収差の補正を行う液晶素子と、前記棒状弾性支持部材を介して給電可能に設けられて前記液晶素子の駆動を制御する液晶駆動回路と、を保持することを特徴としている。
【００１２】
また、本発明は、上記構成の対物レンズ駆動装置において、前記棒状弾性支持部材の前記他方の端部は、前記第２保持部に取り付けられることを特徴としている。
【００１３】
また、本発明は、上記構成の対物レンズ駆動装置において、前記コイルには、光軸を取り囲むように巻回されて前記レンズホルダを前記光軸方向に変位可能とするフォーカスコイルが含まれ、前記フォーカスコイルは、前記２保持部に固着されることを特徴としている。
【００１４】
また、本発明は、上記構成の対物レンズ駆動装置を備える光ピックアップ装置であることを特徴としている。
【発明の効果】
【００１５】
本発明の第１の構成によれば、液晶素子と液晶素子の駆動を制御する液晶駆動回路とを保持する第２保持部を、対物レンズを保持する第１保持部と別パーツとし、組立て時に第１保持部と第２保持部とを一体とする構成としている。このため、液晶素子の光軸と対物レンズの光軸と合わせるための液晶素子の位置調整を、液晶素子のみを動かすのではなく、第２保持部を動かすことによって行える。このため、液晶素子の位置調整時にＦＰＣ（液晶駆動回路を構成する）の存在によって液晶素子の調整を邪魔されることがない。また、位置調整後にＦＰＣから受ける大きな力によって液晶素子が剥がれる可能性を低減できる。すなわち、液晶素子の光軸を対物レンズの光軸に合わせる位置調整が、スムーズに行え、且つ液晶素子の接着剤が剥がれるのを防止できる。また、導電性部材で形成される棒状弾性支持部材が第２保持部に取り付けられているために、第２保持部に取り付けられる液晶駆動回路へ給電する構成が複雑とならず、部品点数も少なくできる。
【００１６】
また、本発明の第２の構成によれば、液晶素子と液晶素子の駆動を制御する液晶駆動回路とを保持する第２保持部を第１保持部とは別パーツとし、組立て時に第１保持部と第２保持部とを一体とする構成としている。このため、液晶素子の光軸と対物レンズの光軸とを合わせるための液晶素子の位置調整を、液晶素子のみを動かすのではなく、第２保持部を動かすことによって行える。このため、液晶素子の位置調整時にＦＰＣ（液晶駆動回路を構成する）の存在によって液晶素子の調整を邪魔されることがない。また、位置調整後にＦＰＣから受ける大きな力によって液晶素子が剥がれる可能性を低減できる。すなわち、液晶素子の光軸を対物レンズの光軸に合わせる位置調整が、スムーズに行え、且つ液晶素子の接着が剥がれることを防止できる。
【００１７】
また、本発明の第３の構成によれば、上記第２の構成の対物レンズ駆動装置において、導電性部材で形成される棒状弾性支持部材が第２保持部に取り付けられているために、第２保持部に取り付けられる液晶駆動回路へ給電する構成が複雑とならない。
【００１８】
また、本発明の第４の構成によれば、上記第３の構成の対物レンズ駆動装置において、光軸を取り囲むように巻回されるフォーカスコイルが、棒状弾性支持部材が取り付けられる第２保持部に固着される構成であるために、液晶素子の位置調整によってフォーカスコイルの駆動中心と棒状弾性支持部材の支持中心とがずれない。これにより、対物レンズのＤＣチルトを抑制できる。また、フォーカスコイルを液晶素子と同一のパーツに取り付けることで、コイルに発生する熱が液晶に伝わり易くなり、液晶の応答速度を向上させることが可能となる。
【００１９】
また、本発明の第５の構成によれば、上記第２から第４のいずれかの構成の対物レンズ駆動装置を備える光ピックアップ装置において、対物レンズ駆動装置が搭載する液晶素子の接着剥がれが起こる可能性が低い。また、液晶素子の位置調整が原因となって発生するＤＣチルトを抑制することが可能となる。このため、情報の記録や読み取りの品質について、高い信頼性を有する光ピックアップ装置を提供することが可能となる。
【発明を実施するための最良の形態】
【００２０】
以下、本発明の実施形態について図面を参照しながら説明する。なお、ここで示す実施形態は一例であり、本発明はここに示す実施形態に限定されるものではない。
【００２１】
図１は、本発明の対物レンズ駆動装置を備える光ピックアップ装置の光学系の構成を示す概略図である。図１において、１は光ピックアップ装置で、光ディスク（光記録媒体）３０に対して、レーザ光を照射して反射光を受光することにより光ディスク３０の記録面３０ａに記録されている情報を読み取ったり、光ディスク３０にレーザ光を照射して記録面３０ａに情報を書き込んだりすることを可能とする装置である。本実施形態の光ピックアップ装置１は、ＢＤ／ＤＶＤ／ＣＤの３種類の光ディスク３０を互換する。
【００２２】
光ピックアップ装置１の光学系には、第１光源２と、第２光源３と、ダイクロプリズム４と、ビームスプリッタ５と、コリメートレンズ６と、立ち上げミラー７と、液晶素子８と、対物レンズ９と、光検出器１０と、が備えられる。以下に、各光学素子の詳細を説明する。
【００２３】
第１光源２は、２種類の波長のレーザ光を出射できるように２つの発光点を有する２波長対応のレーザダイオードで、ＣＤ用に用いられる波長７８０ｎｍ帯のレーザ光と、ＤＶＤ用に用いられる波長６５０ｎｍ帯のレーザ光と、を出射する。第２光源３は、単一の波長のレーザ光を出射するレーザダイオードで、ＢＤ用に用いられる波長４０５ｎｍ帯のレーザ光を出射する。第１光源２及び第２光源３を出射したレーザ光は、ダイクロプリズム４に送られる。
【００２４】
なお、本実施形態においては、ＣＤ用及びＤＶＤ用のレーザ光を、２波長対応のレーザダイオードを用いて出射する構成としているが、それぞれ単一の波長のレーザ光を出射する２つのレーザダイオードを用いて出射する構成としても構わない。
【００２５】
ダイクロプリズム４は、第１光源２から出射されたレーザ光を透過し、第２光源３から出射されたレーザ光を反射する。なお、第１光源２と第２光源３とは、ダイクロプリズム４を通過した後のレーザ光の光軸が略同一となるようにその位置が調整されている。ダイクロプリズム４を通過したレーザ光は、ビームスプリッタ５に送られる。
【００２６】
ビームスプリッタ５は、第１光源２又は第２光源３から出射されたレーザ光を反射して光ディスク３０側に導くとともに、光ディスク３０の記録層３０ａからの反射光を透過して光検出器１０側へと導く。第１光源２又は第２光源３から出射され、ビームスプリッタ５を透過したレーザ光はコリメートレンズ６へと送られる。
【００２７】
コリメートレンズ６は、光源２、３より出射されたレーザ光を平行光に変換する。ここで、平行光とは、光源２、３から出射されたレーザ光の全ての光路が光軸とほぼ平行である光をいう。コリメートレンズ６を透過した平行光は、立ち上げミラー７に送られる。
【００２８】
立ち上げミラー７は、光源２、３から出射されたレーザ光の光軸が光ディスク３０の記録面３０ａに対して直交するように、コリメートレンズ６から送られてきたレーザ光を反射する。立ち上げミラー７で反射されたレーザ光は、液晶素子８へと導かれる。
【００２９】
液晶素子８は、本実施形態においては球面収差を補正する機能を有する。これは、本実施形態の光ピックアップ装置１は、記録面３０ａを保護する透明カバー層３０ｂの厚みが異なるＢＤ／ＤＶＤ／ＣＤの３種類の光ディスク３０を互換するために球面収差の発生が問題となり、球面収差を補正する必要があるためである。
【００３０】
図２は、光ピックアップ装置１が備える液晶素子８の構成を示す概略断面図である。図２に示すように、液晶素子８は、液晶４１と、液晶４１を挟む２つの透明電極４２ａ、４２ｂと、透明電極４２ａ、４２ｂを保持するガラス基板４３ａ、４３ｂと、を備える。
【００３１】
透明電極４２ａは同心円状の複数のセグメント（図示せず）に分割された分割電極となっており、各セグメントは独立に給電可能となっている。一方、透明電極４２ｂは、分割されることなく１枚の共通電極となっている。このため、透明電極４２ａの各セグメントに与える電位を調整することで、各セグメントと透明電極４２ｂとの間に印加される電圧を調整でき、この間に挟まれる液晶４１の配向状態をそれぞれ調整可能となる。したがって、各セグメントを通過するレーザ光の位相を調整して球面収差の補正を行える。
【００３２】
なお、球面収差を補正する液晶素子８の構成は本実施形態の構成に限定されず、適宜変更可能である。例えば、透明電極４２ｂについても透明電極４２ａと同じように複数のセグメントに分けても構わない。
【００３３】
対物レンズ９は、液晶素子８を透過したレーザ光を光ディスク３０の記録面３０ａ上に集光させる。対物レンズ９は、液晶素子８とともに対物レンズ駆動装置１１に搭載されており、対物レンズ９位置における光軸方向と平行な方向であるフォーカス方向と、光ディスク３０の半径方向と平行な方向であるトラッキング方向と、に移動可能とされている。対物レンズ駆動装置１１の構成の詳細については後述する。
【００３４】
光ディスク３０で反射されたレーザ光は、対物レンズ９、液晶素子８を透過し、立ち上げミラー７で反射され、コリメータレンズ６、ビームスプリッタ５の順に透過して光検出器１０に集光する。
【００３５】
光検出器１０は、受光した光情報を電気信号に変換して、例えば、図示しないＲＦアンプ等に出力する。そして、この電気信号は、光ディスク３０の記録面３０ａに記録されているデータの再生信号や、フォーカス制御やトラッキング制御を行うためのサーボ信号等として利用される。また、場合によっては、液晶素子８に印加する印加電圧に関するフィードバック情報として用いられる。
【００３６】
次に、光ピックアップ装置１が備える対物レンズ駆動装置１１の詳細について、図３及び図４を参照しながら説明する。ここで、図３は、本実施形態の対物レンズ駆動装置１１の構成を示す概略斜視図、図４は本実施形態の対物レンズ駆動装置１１の分解斜視図である。
【００３７】
対物レンズ駆動装置１１は、ベース１２と、永久磁石１３ａ、１３ｂと、ゲルホルダ１４と、第１プリント回路基板１５と、ワイヤ１６ａ〜１６ｅ、１７ａ〜１７ｅと、レンズホルダ１８と、トラッキングコイル２１ａ〜２１ｄと、フォーカスコイル２２と、第２プリント回路基板２３と、液晶用ＦＰＣ（Flexible Printed Circuit）２４と、を備える。
【００３８】
ベース１２は強磁性を有する金属で形成されており、そのほぼ中央には光源２、３（図１参照）から出射されたレーザ光を通過させる貫通孔１２ｃが形成されている。この貫通孔１２ｃの上に、その詳細は後述するレンズホルダ１２が配置される。ベース１２上には、レンズホルダ１８を挟むように所定間隔をあけて相互に対向する一対の永久磁石１３ａ、１３ｂが立設されている。この永久磁石１３ａ、１３ｂは、それぞれの外面がベース１２から折曲形成された突片１２ａ、１２ｂに磁着されることで、ベース１２と磁性的に一体化された状態で固定される。
【００３９】
また、ベース１２上には、一方の永久磁石１３ｂが磁着された突片１２ｂの外面側に、ポリカーボネート等の樹脂成型品のゲルホルダ１４が固定配置されている。ゲルホルダ１４には、レンズホルダ１８側から見た場合に、左右に貫通孔１４ａ、１４ｂが形成されている。
【００４０】
この貫通孔１４ａ、１４ｂには、シリコンを主成分とするゲル材が充填される。ここでゲル材は、低粘度のゲル材（ゾル）がゲルホルダ１４の各貫通孔１４ａ、１４ｂに注入された後、所定時間の紫外線照射によってゲル状に硬化したものである。このように構成されるゲルホルダ１４は、後述するレンズホルダ１４の駆動に応じて各ワイヤ１６ａ〜１６ｅ、１７ａ〜１７ｅに生じた振動をゲル材によって減衰し、抑制する役目を果たす。
【００４１】
更に、ベース１２上には、ゲルホルダ１４の外面側に隣接して第１プリント回路基板１５が立設されている。この第１プリント回路基板１５は、光ピックアップ装置１の制御を行うメインＦＰＣ（図示せず）と接続されており、メインＦＰＣからの信号によって対物レンズ駆動装置１１の電気系統の制御を行う。第１プリント回路基板１５には、左右両側においてそれぞれ上下方向に５箇所ずつ、導電性を有するワイヤ１６ａ〜１６ｅ、１７ａ〜１７ｅの各一端が半田付けにて接続されている。
【００４２】
なお、半田付けされた各ワイヤ１６ａ〜１６ｅはゲルホルダ１４の貫通孔１４ａを、各ワイヤ１７ａ〜１７ｅは、ゲルホルダ１４の貫通孔１４ｂを、挿通されて、他方の端部をレンズホルダ１８に取り付けられる。これにより、レンズホルダ１８は、各ワイヤ１６ａ〜１６ｅ、１７ａ〜１７ｅによってベース１２に対して揺動可能に支持される。
【００４３】
次に、対物レンズ駆動装置１１が備えるレンズホルダ１８の詳細について説明する。レンズホルダ１８は、対物レンズ９を保持する第１保持部１９と、液晶素子８を保持する第２保持部２０と、から成る。第１保持部１９と第２保持部２０とは、独立したパーツであって組立て時に一体化される。このように、第１保持部１９と第２保持部第２０とを別パーツとするのは、対物レンズ９と液晶素子８との間における光軸ずれを調整する際に、液晶素子８のみを動かすのではなく、液晶素子８を保持する第２保持部２０全体を動かして光軸ずれの調整をできるようにするためである。位置調整が行われると第１保持部１９と第２保持部２０とは、例えば接着により固定されて一体化される。
【００４４】
第１保持部１９は、その略中央部に略円形の貫通孔１９ａが形成されており、この部分で対物レンズ９を保持する。第１保持部１９の永久磁石１３ａと対向する側壁には２つのトラッキングコイル２１ａ、２１ｂが、また、第１保持部１９の永久磁石１３ｂと対向する側壁には２つのトラッキングコイル２１ｃ、２１ｄが、それぞれ接着剤等で固着されている。トラッキングコイル２１ａ〜２１ｄは、全体として１本の線で繋がっている。
【００４５】
なお、トラッキングコイル２１ａとトラッキングコイル２１ｃ、及びトラッキングコイル２１ｂとトラッキングコイル２１ｄは、それぞれ対称配置されている。また、各トラッキングコイル２１ａ〜２１ｄは、各永久磁石１３ａ、１３ｂ側から見た場合に、その半分だけが永久磁石１３ａ、１３ｂと重なった状態となるように、第１保持部１９に固着される。
【００４６】
第２保持部２０は、平面視略矩形状に形成される液晶素子８を保持できるように平面視略矩形状の孔２０ａが形成されており、更にレーザ光が通過できるように貫通孔２０ｂが形成されている。第２保持部２０の外面には、それぞれワイヤ１６ａ〜１６ｅとワイヤ１７ａ〜１７ｅとを取り付けるためのワイヤ取付部２０ｃ、２０ｄが形成されており、これにより、ワイヤ１６ａ〜１６ｅ、１７ａ〜１７ｅの一端は、第２保持部２０に取り付けられる。
【００４７】
第２保持部２０のワイヤ取付部２０ｃが形成される面には、第２プリント回路基板２３が固着される。この第２プリント回路基板２３に設けられる電極部分（図示せず）は、ワイヤ１６ａ〜１６ｅと半田付にて接続され、第２プリント回路基板２３は、ワイヤ１６ａ〜１６ｅを介して第１プリント回路基板１５と電気的に接続される。また、第２プリント回路基板２３は、全体として１本の線で繋がるトラッキングコイル２１ａ〜２１ｄの引き出し線、及び詳細は後述するフォーカスコイル２４の引き出し線と接続されている。このため、第２プリント回路基板２３は、第１プリント回路基板１５と、トラッキングコイル２１ａ〜２１ｄ及びフォーカスコイル２２と、を電気的に接続する役割を果たしている。
【００４８】
なお、本実施形態の構成では、全体で１本とされるトラッキングコイル２１ａ〜２１ｄの両端部、及びフォーカスコイル２２の両端部とに給電線を接続すれば良いために、ワイヤ１６ａ〜１６ｅのうちの１本は給電に使用しない。ただし、左右のバランスを取るために５本としている。また、本実施形態の第２プリント回路基板２３はＩＣを搭載していないため、場合によっては第２プリント回路基板２３を設けずに、トラッキングコイル２１ａ〜２１ｄの引き出し線及びフォーカスコイル２２の引き出し線を、ワイヤ１６ａ〜１６ｅ（正確にはいずれか4本のみを使用）と直接接続する構成としても構わない。
【００４９】
第２保持部２０のワイヤ取付部２０ｄが形成される面には、液晶素子８の駆動を制御するためのＩＣを有する液晶用ＦＰＣ２４の一部が固着されている。そして、この部分に形成される電極部分（図示せず）とワイヤ１７ａ〜１７ｅとが半田付けにて接続される。これにより、液晶用ＦＰＣ２４は第１プリント回路基板１５と電気的に接続される。
【００５０】
なお、本実施形態では、液晶用ＦＰＣ２４とワイヤ１７ａ〜１７ｅと半田付けにて直接接続する構成としているが、ワイヤ１７ａ〜１７ｅと液晶用ＦＰＣ２４との間に別途プリント回路基板を設けて、そのプリント回路基板を介して液晶用ＦＰＣ２４とワイヤ１７ａ〜１７ｅとを電気的に接続する構成等としても構わない。ただし、本実施形態のように、液晶用ＦＰＣ２４とワイヤ１７ａ〜１７ｅと半田付けにて直接接続する構成とした方が、部品点数を減らせるために好ましい。
【００５１】
また、液晶用ＦＰＣ２４の一部は液晶素子８を構成する透明電極４２ａ、４２ｂ（図２参照）と接続されて、液晶素子８への給電を可能とされる。液晶用ＦＰＣ２４のその他の部分については、第２保持部２０の内部側に収容され、液晶素子８にかかる力が低減されるように、必要に応じて接着固定される。
【００５２】
本実施形態において、液晶用ＦＰＣ２４をレンズホルダ１８側に設けているのは、例えば次のような理由による。すなわち、液晶素子８の透明電極４２ａ、４２ｂに給電するための配線の数は、例えば１０以上となる。このため、液晶素子８を制御するＩＣを例えば第１プリント回路基板１５の位置に設けると給電のために用いるワイヤの数が多数となり、レンズホルダ１８の駆動が適切に行えなくなる。従って、液晶用ＦＰＣ２４をレンズホルダ１８に設けて、ワイヤの数が過剰とならないようにしている。
【００５３】
また、液晶用ＦＰＣ２４を第２保持部２０に取り付けるのは、液晶素子８の位置調整作業を容易とし、また、レンズホルダ１８に接着固定される液晶素子８の接着剥がれを防止するためである。すなわち、例えば第１保持部１９側等の離れた位置に液晶用ＦＰＣ２４が配置されると、液晶用ＦＰＣ２４に束縛されて液晶素子８の調整作業が行い難くなったり、液晶素子８をレンズホルダ１８に接着した後に液晶用ＦＰＣ２４から液晶素子８に過度に力が加わり液晶素子８の接着が剥がれたりする。このため、液晶用ＦＰＣ２４を第２保持部２０に取り付けて、液晶素子８の位置調整作業の作業性と、液晶素子８の接着剥がれを防止している。
【００５４】
また、第２保持部２０には、対物レンズ９の光軸を取り巻くように巻回されたフォーカスコイル２２が、第２保持部２０の内面に沿うように接着剤等で固着される。対物レンズ駆動装置１１において、フォーカスコイル２２を第２保持部２０に固着する理由について、図５を用いて説明する。なお、図５は、フォーカスコイルの駆動中心(フォーカス駆動中心)と、レンズホルダを支持するワイヤの支持中心と、の関係を説明する説明図である。
【００５５】
図５（ａ）は、フォーカスコイル２２が第１保持部１９（図５においては図示していない）に固着されている場合の状態を示している。対物レンズ９と液晶素子８との光軸を合わせるために第２保持部２０を動かして位置調整する場合、フォーカスコイル２２の駆動中心（フォーカス駆動中心）とワイヤ１６ａ〜１６ｅ、１７ａ〜１７ｅの支持中心とが独立して位置調整されることになるため、フォーカス駆動中心と支持中心とが一致しない場合が発生する。そして、フォーカス駆動中心と支持中心とがずれた場合、モーメントの発生によりレンズホルダ１８が回転して、ＤＣチルトが発生する。
【００５６】
一方、本実施形態のようにフォーカスコイル２２を第２保持部２０側に設けた場合には、対物レンズ９と液晶素子８の光軸を合わせるために第２保持部２０を移動しても、フォーカス駆動中心と支持中心がずれることがない（図５（ｂ）の状態）。従って、ＤＣチルトが低減可能となる。なお、液晶素子８の位置調整のために第２保持部２０が、上下方向（フォーカス方向）に移動されることはないために、トラッキングコイル２１ａ〜２１ｄの駆動中心とワイヤ１６ａ〜１６ｅ、１７ａ〜１７ｅの支持中心が液晶素子８の位置調整でずれることはない。
【００５７】
以上のように構成される対物レンズ駆動装置１１における動作について説明する。第１プリント回路基板１５から、例えばワイヤ１６ａ、１６ｂを介してトラッキングコイル２１ａ〜２１ｄに電流が供給されると、永久磁石１３ａ、１３ｂによって形成される磁界との電磁気的な作用により、レンズホルダ１８にトラッキング方向Ｔ（図３参照）の力が作用するようになる。このため、第１プリント回路基板１５による電流が流れる向きや大きさの制御により、レンズホルダ１８のトラッキング方向Ｔへの移動を制御できる。
【００５８】
また、第１プリント回路基板１５から、例えばワイヤ１６ｃ、１６ｄを介してフォーカスコイル２２に電流が供給されると、永久磁石１３ａ、１３ｂによって形成される磁界との電磁気的な作用により、レンズホルダ１８にフォーカス方向Ｆ（図３参照）の力が作用するようになる。このため、第１プリント回路基板１５による電流が流れる向きや大きさの制御により、レンズホルダ１８のフォーカス方向Ｆへの移動を制御できる。
【００５９】
また、第１プリント回路基板１５からワイヤ１７ａ〜１７ｅを介して液晶用ＦＰＣ２４に信号が送られると、液晶用ＦＰＣ２４は、液晶素子の透明電極４２ａ、４２ｂに印加する電圧の制御を行う。これにより、液晶素子８は、光ピックアップ装置１において発生する球面収差の補正を行う。
【００６０】
なお、本実施形態の対物レンズ駆動装置１１は一例であり、本実施形態の構成に限定されず、本発明の目的を逸脱しない範囲で種々の変更が可能である。例えば、本実施形態ではトラッキングコイル２１ａ〜２１ｄを第１保持部１９に固着する構成としているが、第２保持部２０側にトラッキングコイル２１ａ〜２１ｄを設ける構成等としても構わない。また、レンズホルダ１８は、第１保持部１９と第２保持部２０との２つのパーツから成っているが、３つ以上のパーツから成る構成等としても構わない。更に、本実施形態の対物レンズ駆動装置１１は、レンズホルダ１８をフォーカス方向Ｆとトラッキング方向Ｔにのみ変位する構成としているが、例えばレンズホルダ１８をチルトできる構成等としても構わない。
【００６１】
また、本実施形態においては、対物レンズ駆動装置１１に搭載される液晶素子８は球面収差の補正を行う構成としたが、これに限定されず、液晶素子８がコマ収差や非点収差等の他の波面収差を行う場合にも、本発明は適用可能である。
【００６２】
その他、本実施形態では、光ピックアップ装置１はＢＤ／ＤＶＤ／ＣＤを互換する構成としたが、この構成に限定されず、本発明の対物レンズ駆動装置は広く光ピックアップ装置に適用可能であることは、言うまでもない。
【産業上の利用可能性】
【００６３】
本発明によれば、対物レンズとともに液晶素子を搭載する対物レンズ駆動装置において、組立て時の調整作業が行い易く、組立て後に液晶素子が剥がれたりすることがない。このため、光ピックアップ装置に適用すると有用である。
【図面の簡単な説明】
【００６４】
【図１】は、本実施形態における光ピックアップ装置の光学系の構成を示す概略図である。
【図２】は、本実施形態の光ピックアップ装置が備える液晶素子の構成を示す概略断面図である。
【図３】は、本実施形態の光ピックアップ装置が備える対物レンズ駆動装置の構成を示す概略斜視図である。
【図４】は、本実施形態の光ピックアップ装置が備える対物レンズ駆動装置の分解斜視図である。
【図５】は、フォーカスコイルの駆動中心とレンズホルダを支持するワイヤの支持中心と、の関係を説明するための説明図である。
【符号の説明】
【００６５】
１              光ピックアップ装置
２              第１光源
３              第２光源
８              液晶素子
９              対物レンズ
１１            対物レンズ駆動装置
１３ａ、１３ｂ  永久磁石
１６ａ〜１６ｅ  ワイヤ（棒状弾性支持部材）
１７ａ〜１７ｅ  ワイヤ（棒状弾性支持部材）
１８            レンズホルダ
１９            第１保持部
２０            第２保持部
２１ａ〜２１ｄ  トラッキングコイル
２２            フォーカスコイル
２４            液晶用ＦＰＣ（液晶駆動回路）
【図１】
2008171485.tif 000003
【図２】
2008171485.tif 000004
【図３】
2008171485.tif 000005
【図４】
2008171485.tif 000006
【図５】
2008171485.tif 000007